(57)【特許請求の範囲】
【請求項１】
屋外側の床面上に載置される設置台の左右両側縁部の何れか一方又は双方に、支柱の上端に手摺杆を取り付けた手摺ユニットを配置して構成される手摺装置であって、
上記手摺杆が、扁平円管で構成され上記支柱に固定支持された固定杆部と、扁平円管で構成され略「く」形に屈曲形成され且つ該固定杆部の前端部に連結された可動杆部を備えるとともに、
上記可動杆部は、上記固定杆部の前端部に対して、略鉛直方向に軸心方向をもつヒンジ部を介して略水平に左右方向へ回動可能に連結され、その第１の回動位置では上記固定杆部の延長上に延出する使用時形態とされ、第２の回動位置では上記固定杆部の延長上よりも手摺装置の幅方向内側へ回動した収納時形態とされることを特徴とする手摺装置。
【発明の詳細な説明】
【技術分野】
【０００１】
本願発明は、段差部の低位側床面上に載置状態で仮設的に設置されて、例えば被介護者の段差部通行時においてその歩行支援に供される載置形の手摺装置に関するものである。
【背景技術】
【０００２】
この種の載置形の手摺装置は、住宅改修を伴うことなく簡便に設置でき、しかも被介護者に対する歩行支援の効果も高いことから、近年急速に普及しつつあり、係る背景から、この載置形の手摺装置について種々の提案がなされている（例えば、特許文献１，２参照）。
【０００３】
これら手摺装置は、床面上に載置状態で設置される略平板状の設置台に、複数の支柱の上端に手摺杆を備えてなる手摺ユニットを、該設置台の左右両該縁部の何れか一方、又は両方に配置固定して構成される。そして、この手摺装置は、玄関土間上の、玄関框に接近した位置に設置されて、この玄関框部分を上がり降りする被介護者等の利用者の歩行を支援して安全な通行を実現するものである。
【先行技術文献】
【特許文献】
【０００４】
【特許文献１】特開２０１２−２１９６１３号公報
【特許文献２】特開２０１４−１１１８６３号公報
【発明の概要】
【発明が解決しようとする課題】
【０００５】
ところで、人が屋内から屋外へ出る場合とか、逆に屋外から屋内へ入る場合には、玄関土間を通って移動するのが一般的であり、係る場合には上述のように玄関框部分に上記手摺装置を設置することが有用である。
【０００６】
しかしながら、このように玄関土間を通って屋内と屋外の間を出入りするのが一般的ではあるが、これが全てではなく、例えば、玄関廻りのスペース的あるいは経路的な問題（例えば、玄関土間に手摺装置の設置スペースを確保しにくい場合とか、居住部分から玄関までの距離が長く歩行に支障が生じるような場合等）から、止む無く居住部分に近い掃出窓の開口部分から出入りする場合も多くある。
【０００７】
このように玄関土間を通ることなく、掃出窓の開口部分を通って出入りする場合にも、
該開口部分と屋外土間の間に段差があり、この段差を通る必要があることから、係る場合も人の通行を支援する手摺装置を屋外土間上に仮設的に設置することが有効と考えられる。
【０００８】
しかしながら、玄関土間への設置を前提とした上掲の各特許文献に示されるような手摺装置を、掃出窓に面した屋外土間に設置して使用する場合には、以下のような問題があった。
【０００９】
即ち、手摺装置を掃出窓の開口部分に面した屋外土間に設置する場合、該手摺装置に備えられた手摺杆の前端（通常、支柱より前方に延出している）が上記掃出窓と干渉しないように、上記手摺杆の前端を掃出窓の外面よりも外側に位置させて配置することが必要となる。
【００１０】
ところが、このように手摺装置の手摺杆の前端を掃出窓の外面よりも外側に位置させて配置した場合、例えば、この掃出窓を開放し、ここを通って屋内から屋外へ人が出ようとした場合、屋内側に居る人と屋外側に設置された上記手摺杆の前端との間に比較的大きな間隔が生じる。このため、例えば、屋内に居る人が屋内に設置された手摺を使用して掃出窓の開口部分まで安全に歩行してきたとしても、この掃出窓の開口部分においては屋内手摺と上記手摺装置の手摺杆の前端との間が比較的広く空いていることから、該屋内手摺から上記手摺杆への把持位置の変更、及びこの把持位置の変更の間における歩行が不安定となり、上記手摺装置が本来想定している歩行支援機能を十分に発揮できない恐れがある（図３、図９参照）。
【００１１】
そこで本願発明は、屋外土間に設置した状態にあっても高い歩行支援機能を発揮し得るようにした手摺装置を提供することを目的としてなされたものである。
【課題を解決するための手段】
【００１２】
本願発明では、屋外側の床面上に載置される設置台の左右両側縁部の何れか一方又は双方に、支柱の上端に手摺杆を取り付けた手摺ユニットを配置して構成される手摺装置において、上記手摺杆が、扁平円管で構成され上記支柱に固定支持された固定杆部と、扁平円管で構成され略「く」形に屈曲形成され且つ該固定杆部の前端部に連結された可動杆部を備えるとともに、上記可動杆部は、上記固定杆部の前端部に対して、略鉛直方向に軸心方向をもつヒンジ部を介して略水平に左右方向へ回動可能に連結され、その第１の回動位置では上記固定杆部の延長上に延出する使用時形態とされ、第２の回動位置では上記固定杆部の延長上よりも手摺装置の幅方向内側へ回動した収納時形態とされることを特徴としている。
【発明の効果】
【００１３】
本願発明に係る手摺装置によれば、屋外側の床面上に載置される設置台の左右両側縁部の何れか一方又は双方に、支柱の上端に手摺杆を取り付けた手摺ユニットを配置して構成される手摺装置において、上記手摺杆が、扁平円管で構成され上記支柱に固定支持された固定杆部と、扁平円管で構成され略「く」形に屈曲形成され且つ該固定杆部の前端部に連結された可動杆部を備えるとともに、上記可動杆部は、上記固定杆部の前端部に対して、略鉛直方向に軸心方向をもつヒンジ部を介して略水平に左右方向へ回動可能に連結され、その第１の回動位置では上記固定杆部の延長上に延出する使用時形態とされ、第２の回動位置では上記固定杆部の延長上よりも手摺装置の幅方向内側へ回動した収納時形態とされるので、例えば、上記手摺装置の屋外設置時に、上記可動杆部を収納時形態に設定した状態で、該可動杆部の前端を家屋の開口部に設けた掃出窓の外面に近接させた状態で手摺装置を設置しておけば、該可動杆部を使用時形態に設定すれば上記可動杆部の前端は掃出窓の開口部分を通って屋内に延出することになる。
【００１４】
このため、例えば、人が屋内から掃出窓の開口部分を通って屋外へ出ようとする場合、
屋内に居る人は、屋内まで延出している上記手摺杆の可動杆部を屋内に居ながら容易に且つ的確に把持し、これを伝って屋内から屋外へ安全に移動することができる等、屋外設置された手摺装置の歩行支援機能を最大限発揮させることができる。
【図面の簡単な説明】
【００１５】
【図１】本願発明の第１の実施形態に係る手摺装置の使用時形態における全体斜視図    である。
【図２】上記手摺装置の収納時形態における全体斜視図である。
【図３】上記手摺装置の使用時形態での設置状態を示し平面図である。
【図４】図３のＡ−Ａ矢視図である。
【図５】上記手摺装置の収納時形態での設置状態を示し平面図である。
【図６】図５のＢ−Ｂ矢視図である。
【図７】本願発明の第２の実施形態に係る手摺装置の使用時形態における全体斜視図    である。
【図８】上記手摺装置の収納時形態における全体斜視図である。
【図９】上記手摺装置の使用時形態での設置状態を示し平面図である。
【図１０】図９のＣ−Ｃ矢視図である。
【図１１】上記手摺装置の収納時形態での設置状態を示し平面図である。
【図１２】図１１のＤ−Ｄ矢視図である。
【図１３】本願発明の第３の実施形態に係る手摺装置の使用時形態における全体斜視図である。
【図１４】上記手摺装置の収納時形態における全体斜視図である。
【発明を実施するための形態】
【００１６】
「第１の実施形態」
（１）手摺装置Ｚ１の構成
図１及び図２には、本願発明の第１の実施形態に係る手摺装置Ｚ１を示している。この手摺装置Ｚ１は、主として屋外土間３１上に、しかも家屋１０の掃出窓２０の開口部１２（図３〜図６参照）の直前位置に対向状態で設置される手摺装置であって、略矩形平板状の設置台１の左右両縁部のそれぞれに手摺ユニットＵを立設固定して構成される。なお、この手摺ユニットＵは、上記設置台１の左右何れか一方の縁部のみに設けることもできる。
【００１７】
上記手摺ユニットＵは、前後一対の支柱、即ち、前側支柱２と後側支柱３の上端間に跨って手摺杆４を取り付けて構成される。上記前側支柱２は、三段伸縮式の支柱であって、その伸縮量、即ち、支柱高さは、上記手摺装置Ｚ１が設置される建屋土間３１と、掃出窓２０が設けられる建屋１０の開口部１２における屋内床面３２との高低差に応じて適宜設定され（図４、図６参照）、図示しない固定手段によって固定保持される。また、上記後側支柱３は、上記前側支柱２と同様に三段伸縮式の支柱であって、その先端と上記前側支柱２の先端との間に架設される手摺杆４の傾斜角を所要角度に保持すべく、該前側支柱２と一体的にその高さが調整され、且つ図示しない固定手段によって固定保持される。
【００１８】
上記手摺杆４は、扁平円管で構成された固定杆部４ａと可動杆部４ｂからなる二分割構造とされる。上記固定杆部４ａは、その一端側は略水平に延出する水平端部４ａ１とされ上記前側支柱２の上端部に固定される一方、他端側は所定角度に傾斜した傾斜端部４ａ２とされ上記後側支柱３の上端部に固定されるとともに、該固定点より後側部分は下方へ屈曲している。
【００１９】
上記可動杆部４ｂは、その中間部において略「く」形に屈曲形成された扁平円管で構成され、その基端側が上記固定杆部４ａの水平端部４ａ１の先端に対して、上記設置台１の幅方向へ向けて略水平に延びる軸心をもつヒンジ部５によって上下方向に回動可能に連結され、第１の回動位置と第２の回動位置に択一的に位置設定される。
【００２０】
即ち、上記第１の回動位置は、図１に示すように、上記固定杆部４ａの水平端部４ａ１の延長上に位置するように該ヒンジ部５から前方へ延出する回動位置であって、以下においてはこの第１の回動位置での形態を「使用時形態」という。また、上記第２の回動位置では、図２に示すように、上記ヒンジ部５を中心として上方へ跳ね上げられた回動位置であって、以下においてはこの第２の回動位置での形態を「収納時形態」という。
【００２１】
そして、上記可動杆部４ｂが使用時形態（図１参照）に設定された状態では、該可動杆部４ｂが上記ヒンジ部５から前方へ大きく延出する一方、該可動杆部４ｂが収納時形態（図２参照）に設定された状態では、該可動杆部４ｂの上記ヒンジ部５から前方への延出幅は、上記使用時形態における延出幅よりも所定幅だけ小さくなっている。即ち、上記可動杆部４ｂの形態変更によって、上記手摺杆４の前端位置が前後方向において変更されるものである。なお、上記可動杆部４ｂの使用時形態及び収納時形態での形態保持（即ち、回動位置の固定）は、図示しない固定手段によって行われる。
【００２２】
（２）手摺装置Ｚ１の設置
上記手摺装置Ｚ１は、図５及び図６に示すように、建屋１０の壁部１１に設けた開口部１２に取り付けられた掃出窓２０よりも屋外側において屋外土間３１上に上記設置台１を載置した状態で設置される。この場合、この手摺装置Ｚ１の上記建屋１０に対する対向方向の相対位置は、上記手摺杆４の可動杆部４ｂを収納時形態に設定した状態において、該可動杆部４ｂの先端が、閉戸状態における外側戸体２１の直前に位置するような位置とされる。したがって、この手摺装置Ｚ１の設置状態において上記掃出窓２０の外側戸体２１及び内側戸体２２の開閉動作が阻害されることはなく、該掃出窓２０を閉戸状態で保持することも可能である。
【００２３】
（３）手摺装置Ｚ１の使用
上記屋外土間３１上に設置された上記手摺装置Ｚ１を使用するのは、上記掃出窓２０を開戸し、その開口部１２を通って人が屋外戸屋内の間を出入りする場合である。そして、この出入り時には屋外土間３１と屋内床面３２の段差を経ることから、人の歩行を支援して安全な歩行を実現すべく上記手摺装置Ｚ１が使用されるものである。
【００２４】
そのため、上記手摺装置Ｚ１の使用に際しては、上記掃出窓２０を開戸した状態で、上記手摺杆４の可動杆部４ｂを収納時形態から使用時形態にその形体を変更する。上記可動杆部４ｂが使用時形態に設定されると、図３及び図４に示すように、該可動杆部４ｂの前方への延出幅が収納時形態時よりも大きくなり、該可動杆部４ｂの先端側部分は上記建屋１０の開口部１２を通って屋内側へ延出配置される。そして、例えば、屋内側に屋内手摺１３が設置され且つこれが上記開口部１２の縁部近傍まで延びているような場合には、上記手摺杆４の可動杆部４ｂは上記屋内手摺１３に接近した状態となる。
【００２５】
したがって、例えば、屋内に居る人が上記開口部１２を通って屋外へ出るような場合には、その者は、屋内側の上記開口部１２を伝って上記開口部１２近傍まで安全に移動した後、該屋内手摺１３から上記手摺杆４の可動杆部４ｂ側へ把持位置を容易に変更することができ、該可動杆部４ｂを把持した後は、該可動杆部４bから上記固定杆部４aを順次伝って屋外側へ移動することで、上記段差の存在に拘わらず、安全に歩行移動することができる。即ち、上記手摺装置Ｚ１の歩行支援機能を最大限発揮させることができるものである。
【００２６】
「第２の実施形態」
（１）手摺装置Ｚ２の構成
図７及び図８には、本願発明の第２の実施形態に係る手摺装置Ｚ２を示している。この手摺装置Ｚ２は、その基本構成を上記第１の実施形態に係る手摺装置Ｚ１と同様とするものであって、これと異なる点は、上記手摺杆４における上記可動杆部４bの構成、及び該可動杆部４bの上記固定杆部４aに対する連結構成である。したがって、以下においては上記手摺杆４の構成等について詳述し、これ以外の部分の構成等については上記第１の実施形態の該当説明を援用しここでの説明を省略する。
【００２７】
上記手摺杆４は、上記固定杆部４aと上記可動杆部４bで構成される。そして、上記可動杆部４bの基端側には上記固定杆部４aの水平端部４a１に内挿可能な所定長さの内挿杆６が取り付けられている。このため、上記可動杆部４bは、上記内挿杆６を上記固定杆部４aの水平端部４a１に嵌挿することで該固定杆部４a側に対してその軸方向に相対移動可能に連結されることになる。
【００２８】
そして、図７に示すように、上記可動杆部４bを上記固定杆部４a側から外方へ引き出した状態では、該可動杆部４ｂの上記固定杆部４ａの前端からの延出量が大きくなっている。以下、この時の上記可動杆部４ｂの形態を使用時形態という。一方、図８に示すように、上記可動杆部４ｂを上記固定杆部４ａ側へ押し込んだ状態では、該可動杆部４ｂの上記固定杆部４ａの前端からの延出幅が、上記使用時形態時の延出幅よりも小さくなっている。以下、この時の上記可動杆部４ｂの形態を収納時形態という。なお、上記可動杆部４ｂの使用時形態及び収納時形態での形態保持（即ち、上記伸縮可動杆部４ｂの進退位置の固定）は、図示しない固定手段によって行われる。
【００２９】
（２）手摺装置Ｚ２の設置
上記手摺装置Ｚ２は、図１１及び図１２に示すように、建屋１０の壁部１１に設けた開口部１２に取り付けられた掃出窓２０よりも屋外側において屋外土間３１上に上記設置台１を載置した状態で設置される。この場合、この手摺装置Ｚ２の上記建屋１０に対する対向方向の相対位置は、上記可動杆部４ｂを収納時形態に設定した状態において、該可動杆部４ｂの先端が、閉戸状態における外側戸体２１の直前に位置するような位置とされる。したがって、この手摺装置Ｚ２の設置状態において上記掃出窓２０の外側戸体２１及び内側戸体２２の開閉動作が阻害されることはなく、該掃出窓２０を閉戸状態で保持することも可能である。
【００３０】
（３）手摺装置Ｚ２の使用
上記屋外土間３１上に設置された上記手摺装置Ｚ２の使用に際しては、上記掃出窓２０を開戸した状態で、上記手摺杆４の可動杆部４ｂを収納時形態から前方へ引き出して使用時形態に設定する。このように上記可動杆部４ｂが使用時形態に設定されると、図８及び図９に示すように、該可動杆部４ｂの前方への延出幅が収納時形態への設定時よりも大きくなり、該可動杆部４ｂの先端側部分は上記建屋１０の開口部１２を通って屋内側へ延出配置される。そして、例えば、屋内側に屋内手摺１３が設置され、これが上記開口部１２の縁部近傍まで延びているような場合には、上記手摺杆４の可動杆部４ｂは上記屋内手摺１３の接近した状態となる。
【００３１】
したがって、例えば、屋内に居る人が上記開口部１２を通って屋外へ出るような場合には、その者は、屋内側の上記開口部１２を伝って上記開口部１２近傍まで安全に移動した後、該屋内手摺１３から上記手摺杆４の可動杆部４ｂ側へ把持位置を容易に変更することができ、該可動杆部４ｂを把持した後は、該可動杆部４bから上記固定杆部４aを伝って屋外側へ移動することで、上記段差の存在に拘わらず、安全に歩行移動することができる。即ち、上記手摺装置Ｚ２の歩行支援機能を最大限発揮させることができるものである。
【００３２】
「第３の実施形態」
図１３及び図１４には、本願発明の第３の実施形態に係る手摺装置Ｚ３を示している。
この手摺装置Ｚ３は、上記第１の実施形態に係る手摺装置Ｚ１の変形例として位置づけられるものである。そして、この手摺装置Ｚ３は、以下の点において上記第１の実施形態の手摺装置Ｚ１と異なっている。
【００３３】
即ち、上記手摺装置Ｚ１においては、上記手摺杆４の可動杆部４ｂを上記固定杆部４ａの先端に対して上下方向へ回動可能に連結し、該可動杆部４ｂの収納時形態ではこれを上方へ跳ね上げた形態で保持し、使用時形態では該可動杆部４ｂを上記固定杆部４ａの延長上に延出させた形態で保持するようにしていた。これに対して、この第３の実施形態の手摺装置Ｚ３では、上記可動杆部４ｂを上記固定杆部４ａの先端に対し、略鉛直方向に軸心方向をもつヒンジ部５を介して略水平に横方向へ回動可能に連結し、該可動杆部４ｂの収納時形態では、図１４に示すように、該可動杆部４ｂを手摺装置Ｚの幅方向内側へ回動させた形態で保持する一方、該可動杆部４ｂの使用時形態では、図１３に示すように、該可動杆部４ｂを上記固定杆部４ａの延長上に延出させた形態で保持するようにしている。
【００３４】
手摺装置Ｚ３は、第１及び第２の実施形態に係る手摺装置Ｚ１，手摺装置Ｚ２と同様に、建屋１０の壁部１１に設けた開口部１２に取り付けられた掃出窓２０よりも屋外側において屋外土間３１上に上記設置台１を載置した状態で設置される（図５、図６及び図１、図１２参照）。そして、この手摺装置Ｚ３の使用に際しては、上記掃出窓２０を開戸した状態で、上記手摺杆４の可動杆部４ｂを収納時形態（図１４参照）から略水平方向前方へ振り出して使用時形態に設定する（図１３参照）。このように上記可動杆部４ｂを使用時形態に設定することで、上記第１及び第２の各実施形態において説明したと同様の作用効果が得られるものであり、ここでの説明は省略する。
【００３５】
なお、上記説明においては、上記可動杆部４ｂの収納時形態での収納方向を上記手摺装置Ｚ３の内側方向としているが、本願発明はこれに限定されるものではなく、例えば、上記手摺装置Ｚ３の外側方向とすることもできる。
【００３６】
また、上記各実施形態においては上記手摺装置Ｚ１〜Ｚ３を玄関土間ではなく、屋外土間３１に設置する場合について説明したが、本願発明はこれに限定されるものではなく、玄関土間を含む他の土間あるいは屋内の床部分等に広く設置できることは言うまでもない。
【産業上の利用可能性】
【００３７】
本願発明は、掃出窓等の建具によって屋外と屋内が区画された場所において使用される好適な手摺装置において利用できるものである。
【符号の説明】
【００３８】
１    ・・設置台
２    ・・前側支柱
３    ・・後側支柱
４    ・・手摺杆
４ａ  ・・固定杆部
４ｂ  ・・可動杆部
５    ・・ヒンジ部
６    ・・内挿杆
１０  ・・建屋
１１  ・・壁部
１２  ・・開口部
２０  ・・掃出窓
３１  ・・屋外土間
３２  ・・屋内床面
Ｕ  ・・手摺ユニット
Ｚ１〜Ｚ３  ・・手摺装置
【図１】
0006537791.tif 000002
【図２】
0006537791.tif 000003
【図３】
0006537791.tif 000004
【図４】
0006537791.tif 000005
【図５】
0006537791.tif 000006
【図６】
0006537791.tif 000007
【図７】
0006537791.tif 000008
【図８】
0006537791.tif 000009
【図９】
0006537791.tif 000010
【図１０】
0006537791.tif 000011
【図１１】
0006537791.tif 000012
【図１２】
0006537791.tif 000013
【図１３】
0006537791.tif 000014
【図１４】
0006537791.tif 000015